【事件の表示】
　平成　５年特許願第１０７５５５号「光デイスク装置及びその記録方法」拒絶査定不服審判事件〔平成　６年１０月２１日出願公開、特開平　６−２９５４５６〕について、次のとおり審決する。
【結　論】
　本件審判の請求は、成り立たない。
【理　由】
１．手続の経緯・本願発明
　本件審判の請求に係る特許願（以下「本願」という。）は、平成５年４月１０日に出願されたものあって、平成１６年４月２３日付けで拒絶すべきものである旨の査定がなされ、これに対して平成１６年５月３１日付けで特許法第１２１条第１項の審判が請求がされたものである。
　そして、本願請求項１乃至４に係る各発明は、平成１６年６月２９日付け、平成１７年２月１日付け及び平成１８年９月１５日付けの各手続補正によって補正された明細書及び図面の記載からみて、特許請求の範囲の請求項１乃至４に記載された事項により特定されるとおりのものと認められるところ、その請求項１の記載は以下のとおりである。
　「【請求項１】ライトパワ及びリードパワ間で光ビームの光量を切り換えて、上記光ビームを所定のデイスク状記録媒体に照射することにより、上記デイスク状記録媒体に所望の情報を記録する光デイスク装置において、
　上記デイスク状記録媒体から得られる上記光ビームの反射光を複数の受光面で受光し、当該各受光面からそれぞれ受光信号を出力する受光手段と、
　上記複数の受光面に対応して少なくとも１つ設けられ、上記リードパワの期間は上記受光信号をサンプリングして出力し、上記リードパワの期間が終了した後続く上記ライトパワの期間は、上記リードパワの期間にサンプリングした上記受光信号をホールドして出力する複数のサンプルホールド回路を有するサンプルホールド手段と、
　上記サンプルホールド手段の出力信号に基づいて、トラツキング制御、フオーカス制御及び上記デイスク状記録媒体の回転制御をそれぞれ行う制御手段と
　を具え、
　上記サンプルホールド手段は、
　上記複数のサンプルホールド回路として、
　上記リードパワの期間が所定期間以下のとき、該リードパワの期間の前のリードパワの期間でサンプリングした上記受光信号を出力すると共に、上記リードパワの期間が上記所定期間以上のときにサンプリングして上記フオーカス制御に対応する受光信号を出力する第１のサンプルホールド回路と、
　上記受光手段から出力される上記受光信号の出力を、上記リードパワの期間が上記所定期間以下であっても、該リードパワの期間のタイミングでサンプリングして上記デイスク状記録媒体の回転制御の際に上記光ビームの走査位置を検出するためのウオーブル信号に対応する受光信号を出力する第２のサンプルホールド回路とを有する
　ことを特徴とする光デイスク装置。」（以下「本願発明」という。）
　
２．刊行物及びその記載
　これに対して、原査定で引用した特開昭５８−１２１４２号公報（以下「刊行物１」という）。及び特開昭６３−８７６２２号公報（以下「刊行物２」という。）には、それぞれ以下の記載がある。
　(1)刊行物１
　刊行物１は、記録時においては、再生時に比較してレーザ出力が１０倍を越え、また、記録中のピット整形時の反射光出力変化も非常に複雑であり、記録時のサーボ信号検出は、検出器出力増幅器の自動利得制御、ノイズフィルタ等が非常に複雑であるという欠点が生じていた実情に鑑みてなされ、ディスクからの反射光の検出出力を選択的に抽出（サンプルホールド）し、検出することにより、上記欠点を除去し、安定したサーボ系を備えた新規な情報記録再生装置を提供するとしてなされた光学的記録再生装置に関する発明について、以下の記載がある。
　 (1-1)「回転円板上の同心状または螺旋状トラックにレーザ光を集光させて情報を記録し、また記録した情報に比較的弱いレーザ光を集光照射してその反射光を検出し、記録された情報を再生する光学的記録再生装置において、記録動作中のレーザ光出力を記録パルス照射時以外は再生レベルに保持する手段と、連続する前記記録パルスの間のレーザ光再生レベル照射時の反射光検出出力のうち記録パルス照射終了後にレーザ光スポットが記録されたピットを通過した後次の記録パルス照射直前までの反射光検出出力全部または一部をサンプルホールドする手段とを有する事を特徴とする光学的記録再生装置。」（特許請求の範囲）
　 (1-2)「第１図は本発明の一実施例を示すブロック構成図である。第１図を参照すると、本発明の一実施例においては、半導体レーザヘッド（光学ヘッド）100は、従来技術として説明したトラッキング用サーボ信号出力は二分割検出器１から、フォーカスサーボ用信号出力は四分割検出器２から取り出される。クロック発生回路１１からのクロック信号51はフリップフロップ回路12に入力され、そのＱ出力52はサンプルホールド用サンプリングパルスとして使用される。記録データ55は、フリップフロップ回路12のＱ￣出力53と同期して記録パルス発生回路13、ドライバ14をへて半導体レーザ３を駆動する。この場合において、記録パルス54が来ない時にはレーザ出力は再生用出力レベルに保持される。
　トラッキング検出用二分割検出器１及びフォーカス検出用四分割検出器２の出力はそれぞれ２本及び４本であるが、ここでは１本で代表して記されている。それぞれの出力61、62はサンプリングホールド回路15、16でサンプリングパルス52によりサンプルホールドされ、出力63、64となって出力される。」（第２頁右上欄第１０行〜同頁左下欄第１１行）
　(1-3)「ここで、第２図は第１図に示したブロックのそれぞれの出力波形を示す図である。フリップフロップ回路12のＱ出力波形は52に、フリップフロップ回路12のＱ￣出力波形は53に、記録データパルス波形は54に、それぞれの検出器１、２の出力の波形は61、62に、サンプルホールド後の出力波形は63、64にそれぞれ示されている。即ち、各出力波形は第１図と同じ参照番号にて示されている。この64、65の出力は二分割検出器では２本、四分割検出器では４本あり、ここでは省略されているが、それぞれ公知の技術を利用して演算しそれぞれのエラー出力を発生させる。
　一般に、記録パルスは前にも述べたように、大出力であるために、その反射光は出力も大きく、しかもピット形成時には反射率が複雑に変化するために、複雑な波形となり、精密なエラー検出器の自動ゲインコントロールが必要であるが、本発明によるこの実施例では、この部分及びピット通過時の検出波形をサーボ信号から除去する効果があるために、ゲインコントロールがほぼ不要となる。
　本発明は、以上説明したように、エラー信号をスポットがピットを通過して後、次の記録パルスが発生する直前までの間の出力をサンプル検出する事により、記録パルスによるエラー信号のみだれを除去する効果がある。」（第２頁左下欄第１２行〜同頁右下欄第１７行）
　
　以上の記載を整理すると、刊行物１には、以下のとおりの発明が記載されているものと認める。
　
「ディスク状記録媒体の同心状または螺旋状トラックにレーザ光を集光させて情報を記録し、また記録した情報に比較的弱いレーザ光を集光照射してその反射光を検出し、記録された情報を再生する光学的記録再生装置において、
　ディスク状記録媒体からの反射光を受光して、トラッキングサーボ用の信号を出力するトラッキングサーボ用二分割検出器及びフォーカスサーボ用の信号を出力するフォーカスサーボ用四分割検出器と、
　クロック発生回路からのクロック信号を入力するフリップフロップ回路と、
　フリップフロップ回路のＱ￣出力と記録データを記録パルス発生回路に入力し、フリップフロップ回路のＱ￣出力と同期して記録パルスを発生し、ドライバを経て、記録パルス発生時は、半導体レーザを大出力駆動し、記録動作中においても、記録パルスによる照射時以外は、半導体レーザのレーザ光出力を比較的弱い再生レベルに保持する手段と、
　トラッキングサーボ用二分割検出器及びフォーカスサ−ボ用四分割検出器の出力に対応して設けられ、フリップフロップ回路のＱ出力をサンプルホールド用サンプリングパルスとする複数のサンプリングホールド回路からなり、連続する記録パルスの間の再生レベルのレーザ光照射時の反射光検出出力のうち、記録パルス照射終了後にレーザ光スポットが記録されたピットを通過した後、次の記録パルス照射直前までの反射光検出出力全部または一部をサンプルホールドする手段と、
　複数のサンプリングホールド回路の各出力を受けて、トラッキングサーボ及びフォーカスサーボのための各エラー信号を発生させる演算手段と、
　を備えた光学的記録再生装置。」
　
　(2)刊行物２
　刊行物２は、(a)記録動作時においてレーザダイオードの出力パワーが変調部からの変調信号によって激しく変化し、特に最小のピットを連続して記録する場合にはその変化が更に激しいため、その変化に対して４分割検出器およびサーボ回路の応答が不安定になり、そのため、光ディスク記録再生装置の記録時におけるフォーカス、トラッキングサーボ制御が不安定となる。
　(b)検出部はレーザダイオードの出力パワーに依存し、従って、レーザダイオードの出力パワーが記録時と再生時とでそのレベルが異なるため、検出器はそのレベルに応じて正確な反射光の強度分布を検出できるように調整する必要があり、４分割検出器にあっては、レベルの異なる場合、同じ特性のものに調整することが困難であった。
　(c)フォーカス、トラッキングサーボ制御のためのサーボ回路が、記録動作時と再生動作時とではゲインが切替られるようになっているが、光ディスク記録再生装置の記録動作時、再生動作時におけるサーボ回路の調整が困難であった。
　等の問題点に鑑みなされ、フォーカス、トラッキングサーボ回路および反射レーザ光の検出器の調整が簡単であり、しかもフォーカス、トラッキングサーボ制御が安定して動作する光ディスク記録再生装置のサーボ方式を提供するとしてなされた光デイスク記録再生装置のサ−ボ回路に関する発明について、以下の記載がある。
　(2-1)「（１）光ディスク記録再生装置のレーザ光の強度分布を検出する検出器と、該検出信号に基づいてフォーカス誤差信号を出力するフォーカス誤差信号検出部およびトラッキング誤差信号を出力するトラッキング誤差信号検出部と、前記フォーカス誤差信号により前記光ディスクと前記対物レンズとの距離を制御する制御信号を出力するフォーカスの位相制御部と、前記トラッキング誤差信号により前記光ディスクのトラックと前記レーザ光とのずれを制御する制御信号を出力するトラッキングの位相制御部とを有し、前記制御信号によって前記対物レンズのアクチュエータを駆動制御する光ディスク記録再生装置のサーボ回路において、
　前記フォーカス位相制御部およびトラッキング位相制御部にはそれぞれ前記フォーカス誤差信号およびトラッキング誤差信号を再生レベルでサンプリングホールドするサンプリングホールド回路を設け、
　前記光ディスク記録再生装置の記録動作時にあっては、前記サンプリングホールドしたフォーカス誤差信号およびトラッキング誤差信号に基づいて前記制御信号を出力するようにしたことを特徴とする光ディスク記録再生装置のサーボ回路。
　（２）特許請求の範囲（１）において、前記サンプリングホールド回路は、前記変調信号の再生レベル時のフォーカスおよびトラッキング誤差信号をサンプリングしてホールドする第１Ｓ／Ｈ回路と、前記変調信号の再生レベルのうち所定幅の再生レベルを検出し、該変調信号の変形パルス信号を出力する再生レベル幅検出手段と、該検出信号によって前記第１Ｓ／Ｈ回路でホールドされたフォーカスおよびトラッキング誤差信号をサンプリングしてホールドする第２Ｓ／Ｈ回路とを設けてなることを特徴とする光ディスク記録再生装置のサーボ回路。
　（３）特許請求の範囲（２）において、前記再生レベル幅検出手段は、前記変調信号の再生レベルに同期して一定幅のパルスを出力する再トリガ形単安定マルチ回路と、該一定幅のパルスのタイミングで前記変調信号の再生レベルを一時記憶するフリップフロップ回路と、該記憶した信号と前記一定幅のパルスとの論理積をとる２アンド回路とを有し、
　入力した変調信号の再生レベルのうち所定幅以下のものを除くようにしたことを特徴とする光ディスク記録再生装置のサーボ回路。
　（４）特許請求の範囲（２）において、前記再生レベル幅検出手段は、前記変調信号の再生レベルに同期して一定幅のパルスを出力する再トリガ形単安定マルチ回路と、該一定幅のパルスと前記変調信号との論理積をとる２アンド回路と、該２アンド回路から出力されるパルスによって一定幅のパルスを出力する単安定マルチ回路とを有し、
　入力した変調信号の再生レベルのうち所定幅以下のものを除くようにしたことを特徴とする光ディスク記録再生装置のサーボ回路。」（【特許請求の範囲】）
　(2-2)「次に、この発明の光ディスク記録再生装置のサーボ回路の作用を第３図のタイムチャートに基づいて説明する。
　まず、光ディスク記録再生装置が記録動作時にある場合、変調部11からは変調信号がレーザダイオードＬＤの駆動部に出力され、かつ第３図（ａ）に示す変調信号（パルス信号）がフォーカスＳ／Ｈ回路13およびトラッキングＳ／Ｈ回路15に出力される。なお、このパルス信号の“Ｌ”レベルは光ディスク１に記録する情報（ピット）に相当する記録レベルであり、“Ｈ”レベルは再生レベルに相当するものである。すると、レーザダイオードＬＤは変調信号に基づいてレーザ光を出力し、検出部４には光ディスク１で反射されたスポットレーザ光がその変調信号に応じて強度変化して入射される。そして、この検出部４の検出値に基づいてフォーカス誤差信号検出部５からフォーカス誤差信号がフォーカスＳ／Ｈ回路13に出力され、トラッキング誤差信号検出部６からトラッキング誤差信号がトラッキングＳ／Ｈ回路15に出力される。ここで、フォーカス位相制御部12に設けられているＳ／Ｈ回路13の第１Ｓ／Ｈ回路13ａはパルス信号の再生レベル時（第３図（ａ）に示す“Ｈ”レベル）におけるフォーカス誤差信号をサンプリングし、パルス信号の立ち下がりのタイミングでホールドする。このとき、再生レベル幅検出手段13ｂはパルス信号の立上りのタイミングで単安定マルチ回路13ｂ１から出力される一定幅ｔのパルス（第３図（ｂ）に示す）とこのパルスの立上りのタイミングでパルス信号を一時記憶（セット）したＤ−Ｆ／Ｆ回路13ｂ２の出力（第３図（ｃ）に示す）とを２ＡＮＤ回路13ｂ３によりＡＮＤ論理をとる。
　即ち、再生レベル幅検出手段13ｂは入力したパルス信号の再生レベル幅のうち単安定マルチ回路13ｂ１の出力パルス幅ｔより狭い部分（幅ｔ１）を除き、その幅ｔ１より広い部分（幅ｔ２）を有効としてパルス信号を変形した変形パルス信号（第３図（ｄ）に示す）を出力する。これにより、第２Ｓ／Ｈ回路13ｃは第１Ｓ／Ｈ回路13ａでサンプリング・ホールドされているフォーカス誤差信号を変形パルス信号の“Ｈ”レベル（再生レベル）間にサンプリングし、変形パルス信号の立ち下がりのタイミングでホールドして”Ｌ”レベル（記録レベル）の間そのホールド状態を保持する。従って、記録レベル時においては、フォーカス位相制御部12はそのホールドしたフォーカス誤差信号に基づいて対物レンズＬ２と光ディスク１との距離を制御（アクチュエータ９ａを駆動）するための制御信号をフォーカス駆動部９に出力する。
　　　　　　　　　　　・・・（中略）・・・
　即ち、ピットの記録時においては、フォーカス位相制御部12は変調信号の記録レベル時および所定幅より狭い再生レベル時でのフォーカス誤差信号を用いずに、所定幅以上の再生レベル時でのフォーカス誤差信号をサンプリングし、記録レベルの間ホールドする。このホールドは例えば１ピツトの記録が終わるまでなされる。これにより、フォーカス位相制御部12は所定幅以上のより安定した再生レベル時でのフォーカス誤差信号に基づいて制御信号をフォーカス駆動部９に出力することになる。」（第４頁右上欄第３行〜第５頁左上欄第１１行）
　(2-3)「以上のごとく、この発明のサーボ回路は光ディスク記録再生装置が記録動作の記録レベル時においては、記録レベル時および所定幅より狭い再生レベル時におけるフォーカス、トラッキング誤差信号を用いずに、所定幅以上のより安定している再生レベル時におけるフォーカス、トラッキング誤差信号を用いて光学ヘッドのフォーカス、トラッキング機構を制御することができる。」（第５頁右下欄第５〜１２行）
　(2-4)「［発明の効果］　以上説明したように、この発明の光ディスク記録再生装置のサーボ回路によれば、光ディスク記録再生装置の記録動作時の記録レベル時において、変調信号の再生レベルのうち所定幅以上の再生レベル時でのフォーカス、トラッキング誤差信号のみを用いるようにしたので、記録動作時におけるフォーカス、トラッキングサーボ制御を安定して行うことができ、しかも検出部の調整を簡単にでき、更に記録時、再生動作時におけるサーボ回路の調整をも簡単にできるという効果がある。」（第５頁右下欄第１６行〜第６頁左上欄第６行）
　
２．対比・判断
　(1)本願発明と刊行物１記載の発明とを対比すると、
　 (i)本願発明と刊行物１記載の発明は、いずれも、ディスク状記録媒体からの反射光を受けて、その受光信号からフォーカス制御等の制御信号を得るに際して、再生レベル（リードパワ）の光ビーム照射時の反射光を用いる点で共通する。
　 (ii)刊行物１記載の発明において、記録パルスは、フリップフロップ回路のＱ￣出力と同期して発生され、ドライバを介して半導体レーザを大出力駆動するものであり、半導体レーザの出力は、記録パルスが出力されていない期間は、比較的弱い再生レベルに保持されるものである。
　 (iii)刊行物１の第２図の波形図から、高レベルの符号５４部分の記録パルスと低レベル部分の再生レベル部分とは、交互に発生しており、刊行物１記載の発明が、ライトパワ及びリードパワ間でレーザ光の光量を切り換えて、レーザ光をディスク状記録媒体のトラックに照射することにより、情報を記録していることは明らかであり、この点で、本願発明と差異はない。
　 (iv)刊行物１記載の発明におけるトラッキングサーボ用二分割検出器及びフォーカスサーボ用四分割検出器は、それぞれ、本願発明における受光手段に相当することは明らかである。
　 (v)刊行物１記載の発明において、サンプルホールドする手段の複数のサンプリングホールド回路は、その出力が、二分割検出器では２本、４分割検出器では４本あるとされており（上記(1-3)参照）、受光手段の出力部に対応して設けられていることは明らかであり、しかも、複数の受光面に対応して、少なくとも、１つ設けられていることは明らかである。
　また、いずれのサンプリングホールド回路も、フリップフロップ回路のＱ出力をサンプルホールド用サンプリングパルスとしており、トラッキングサーボ用二分割検出器及びフォーカスサーボ用四分割検出器、即ち、受光手段が再生レベル（リードパワ）の期間に受けた反射光検出出力（受光信号）をサンプリングホールドするものであって、サンプリングしたリードパワによる反射光検出出力は、Ｑ出力に続く、Ｑ￣出力、即ち、記録パルスが発生している期間を挟んで、次のサンプリングパルスであるＱ出力までホールドされることは明らかである。
　 (vi)したがって、刊行物１記載の発明におけるサンプルホールドする手段が、本願発明におけるサンプルホールド手段に相当することは明らかである。
　ディスク状記録媒体の回転制御を行う制御手段は、刊行物１記載の発明が、当然に備えるべき制御手段であり、刊行物１記載の発明が、サンプルホールドする手段の出力信号に基づいて、トラッキング制御、フォーカス制御をそれぞれ行う制御手段を備えていることも、自明である。
　
　結局、本願発明と刊行物記載の発明とは、以下の一致点及び相違点が認められる。
　〔一致点〕
　「ライトパワ及びリードパワ間で光ビームの光量を切り換えて、上記光ビームを所定のデイスク状記録媒体に照射することにより、上記デイスク状記録媒体に所望の情報を記録する光デイスク装置において、
　上記デイスク状記録媒体から得られる上記光ビームの反射光を複数の受光面で受光し、当該各受光面からそれぞれ受光信号を出力する受光手段と、
　上記複数の受光面に対応して少なくとも１つ設けられ、上記リードパワの期間は上記受光信号をサンプリングして出力し、上記リードパワの期間が終了した後続く上記ライトパワの期間は、上記リードパワの期間にサンプリングした上記受光信号をホールドして出力する複数のサンプルホールド回路を有するサンプルホールド手段と、
　上記サンプルホールド手段の出力信号に基づいて、トラツキング制御、フオーカス制御をそれぞれ行う制御手段と、
　ディスク状記録媒体の回転制御を行う制御手段と
を具えることを特徴とする光デイスク装置。」
　
　〔相違点〕
　a．サンプルホールド手段の出力信号を用いて行う制御の制御対象として、本願発明が、ディスク状記録媒体の回転制御を行い、且つ、そのためのサンプルホールド回路として、
　リードパワの期間が所定期間以下であっても、受光手段から出力される受光信号の出力を該リードパワの期間のタイミングでサンプリングしてディスク状記録媒体の回転制御の際に光ビームの走査位置を検出するためのウオーブル信号に対応する受光信号を出力するサンプルホールド回路を第２のサンプルホールド回路として有しているのに対して、刊行物１記載の発明では、デイスク状記録媒体の回転制御手段の信号態様及びサンプルホールド回路の要件を備えていない点。
　
　b．サンプルホールド回路のサンプリング条件について、本願発明が、リードパワの期間が所定期間以下のとき、リードパワの期間の前のリードパワの期間でサンプリングした受光信号を出力すると共に、リードパワの期間が所定期間以上のときにサンプリングして、フオーカス制御に対応する受光信号を出力するよう動作するサンプルホールド回路を第１のサンプルホールド回路として有しているのに対して、刊行物１記載の発明では、リードパワ期間の長短についての要件を有していない点。
　
　〔判断〕
　相違点a．について
　光ディスク装置において、ディスク状記録媒体からの反射光の受光信号から得たウオーブル信号を用いて、ディスク状記録媒体の回転制御を行う制御手段は、引用文献を示すまでもなく、ごく周知のものであり、刊行物１記載の発明が当然に備えるべきディスク状記録媒体の回転制御を行う制御手段として、ウオーブル信号を用いての制御を採用することは、格別の発明力を要すことなく、適宜になし得るものと認める。
　そして、刊行物１記載の発明が、反射光を受光する各検出器からの受光信号について、再生レベルのレーザ光照射時のタイミングにおいて、複数のサンプリングホールド回路によって、サンプリングホールドして、各種サーボ制御のための信号を得ていることから、ディスク状記録媒体の回転制御のための信号であるウォブル信号についても、対応するサンプルホールド回路を設けることは、格別の発明力を要すことなく、必要に応じて適宜になし得る範囲内のものである。
　なお、本願発明において、「リードパワの期間が所定期間以下であっても、受光手段から出力される受光信号の出力を該リードパワの期間のタイミングでサンプリングして」としているが、リードパワの期間の長さ、幅について特別の条件を付したものでもなく、サンプリング条件は、結局、リードパワの期間内であればよく、サンプリング条件については、刊行物１記載の発明のと差異はない。
　
　相違点b．について
　刊行物２の記載は上記したとおりで、ピットの記録時において、フォーカス位相制御部12で、変調信号の記録レベル時および所定幅より狭い再生レベル時でのフォーカス誤差信号を用いずに、単安定マルチ回路13ｂ１の出力パルス幅ｔ以上の再生レベル時でのフォーカス誤差信号をサンプリングし、記録レベルの間ホールドし、これにより、フォーカス位相制御部12が、所定幅以上のより安定した再生レベル時でのフォーカス誤差信号に基づいた制御信号をフォーカス駆動部９に出力することが記載されている。
　即ち、刊行物２記載のものは、サンプリングホールド回路のサンプリング条件を、変調信号の再生レベルのうち、所定幅以下のものを除き、所定幅以上の再生レベル時でのフォーカス誤差信号のみとし、記録動作時のフォーカスサーボ制御を安定して行おうとするものである。
　刊行物２記載のものは、サンプリングホールド回路が、反射光検出信号を用いて算出したフォーカス誤差信号についてサンプリングホールドするものではあるが、サンプリングホールド回路を誤差信号演算の前段に配置するか、後段に配置するかは、適宜選択し得る範囲内のことである。不安定な反射光検出信号を除去し、再生レベル時の反射光検出信号を採用して、サーボ制御を安定化する点で共通する刊行物１記載の発明において、さらに、再生レベルの時間幅（リードパワ期間）について、所定時間以上のものをサンプリングホールドするようにすることは、格別の発明力を要すことなく、適宜になし得る範囲のことである。
　また、リードパワ期間が所定時間以下の時、前回サンプリング値を用いることは、当然になし得るものである。
　
　結局、本願発明は、刊行物１及び刊行物２に記載された発明に基づいて、当業者が容易に発明し得たものである。
　
４．むすび
　以上のとおりであるから、本願請求項１に係る発明は、特許法２９条第２項の規定により特許を受けることができないとした原査定は妥当なものである。
　したがって、本願は、その余の請求項に論及するまでもなく拒絶すべきものである。
　よって、結論のとおり審決する。